(57)【要約】  【課題】  コンパクトに折畳むことができ輸送効率及び保管性に優れると共に設置場所を選ばず狭い敷地に短時間で組み立てることができ、生活必需品を完備し、再使用が可能で、且つ、簡単な構造で低原価で量産性に優れた簡易住宅を提供することを目的とする。  【解決手段】  本発明の簡易住宅１は、床面部２と下部壁背面部３と下部壁側面部４ａ，４ｂとを有する下部壁部５と、床面部２の前端部に連結され前部側に膨出状に突出した突出正面部６と、下部壁背面部３の上端部に連結された背面部８と、各々の下部壁側面部４ａ，４ｂの上端部に連結された側面部１０ａ，１０ｂと、突出正面部６及び背面部８並びに側面部１０ａ，１０ｂの上部に覆設された天井面部１２と、床面部２と突出正面部６及び下部壁背面部３と背面部８並びに下部壁側面部４ａ，４ｂと側面部１０ａ，１０ｂを回動自在又は脱着自在に連結する折畳み連結部７，９，１１と、を備えた構成を有する。【選択図】  図１
2006283405.tif 000002
【特許請求の範囲】
【請求項１】
床面部と、前記床面部の後端部に立設された下部壁背面部と、前記床面部の両側端部に立設された一対の下部壁側面部と、を有する下部壁部と、
前記床面部の前端部に下端部が連結され前部側に膨出状に突出した突出正面部と、
前記下部壁背面部の上端部に下端部が連結された背面部と、
各々の前記下部壁側面部の上端部に下端部が連結された側面部と、
前記突出正面部及び前記背面部並びに各々の前記側面部の上部に覆設された天井面部と、
前記床面部と前記突出正面部、及び、前記下部壁背面部と前記背面部、並びに、前記下部壁側面部と前記側面部、を回動自在又は脱着自在に連結する折畳み連結部と、
を備えていることを特徴とする簡易住宅。
【請求項２】
前記突出正面部が、後端部が前記床面部に前記折畳み連結部を介して連結された正面側床面部と、前記正面側床面部の前端部に立設され出入口部が形成された正面部と、前記正面側床面部に両側部に立設された正面側側面部と、前記正面部及び前記正面側側面部の上端部に配設され前記正面部側に傾斜した正面側天井面部と、を備えていることを特徴とする請求項１に記載の簡易住宅。
【請求項３】
前記正面部の少なくとも前記出入口部の下部に回動自在又は脱着自在に連結されたバルコニー部と、前記正面側側面部に固定され前記バルコニー部の両側部を支持するバルコニー支持部と、前記バルコニー部の下面又は側部に配設された複数の正面側脚部を備えていることを特徴とする請求項２に記載の簡易住宅。
【請求項４】
前記正面側天井面部の上面に回動自在に連結された庇部を備えていることを特徴とする請求項２又は３に記載の簡易住宅。
【請求項５】
前記天井面部の周縁部の下面側に形成され、前記背面部及び／又は前記側面部の上端部が係止される上端係止部を備えていることを特徴とする請求項１乃至４の内いずれか１項に記載の簡易住宅。
【請求項６】
各々の下部壁側面部に外側面の上端部近傍に突設された天井係合部を備えていることを特徴とする請求項１乃至５の内いずれか１項に記載の簡易住宅。
【請求項７】
前記突出正面部の内部に、調理室、浴室、トイレ室の内いずれか１以上を備えていることを特徴とする請求項１乃至６の内いずれか１項に記載の簡易住宅。
【請求項８】
前記下部壁部の内部に、折畳み自在又は取り外し自在に配設された１以上の寝台部を備えていることを特徴とする請求項１乃至７の内いずれか１項に記載の簡易住宅。
【請求項９】
前記下部壁部の内部に、取り外し式仕切り壁を備えていることを特徴とする請求項１乃至８の内いずれか１項に記載の簡易住宅。
【請求項１０】
前記下部壁部の底部又は側部に配設された複数の脚部を備え、前記脚部が、前記下部壁側面部に固定されたベース部と、前記ベース部に回動自在に配設された回動部と、前記回動部に配設された伸縮部保持部と、前記伸縮部保持部に伸縮自在に配設された伸縮部と、前記伸縮部の下端部に配設された車輪部又は接地部と、を備えていることを特徴とする請求項１乃至９の内いずれか１項に記載の簡易住宅。
【発明の詳細な説明】
【技術分野】
【０００１】
本発明は、地震や火災等の災害発生時に被災者等の仮設住宅、又は山、キャンプ地や浜辺等で別荘やバンガロウ或いはペンションとして或いは自衛隊や青少年活動等の野営として好適な簡易住宅に関するものである。
【背景技術】
【０００２】
従来の簡易住宅としては、軽量鉄骨で骨組みを組み立て各種合板で壁を形成する形式の仮設住宅等がある。このような仮設住宅は現場で組み立てなければならず１０人近い大工によっても１５〜２０日の工期を要し数万戸の仮設住宅を建設するにはメーカーの専門指導員または大勢の熟練した大工が何カ月もかかって組み立てる必要がある。また、内装工事には熟練した大工を必要とするという問題点、及び、多数の被災者が居住できる集合型の仮設住宅を組み立てるには５トンクレーン等の大型建設機械を多数必要とし多大の労力を費やしているという問題点があった。
さらに、従来の簡易住宅はプラスターボードや合板等で隣家と区切られているだけなので、隣家の生活音が筒抜けとなり防音性に欠けプライバシーが守れず精神的な苦痛を受け易く居住性に欠けるという問題点があった。
【０００３】
このような問題点を解決するために、特許文献１には「略直方体状に形成された簡易住宅であって、幅狭側の正面部に形成された出入口部と、背面部の奥側に形成された寝室部と、前記出入口部と前記寝室部の間に配置された居室部と、を備えたことを特徴とする簡易住宅」が開示されている。
また、特許文献２には、「左右一対の側部構成体と、屋根部材と、床部材と、連結部材と、連結部材を内方に折曲させる折曲手段と、を備え、連結部材を伸展状態に維持し内部空間を形成する展開姿勢と、連結部材を折曲させ側部構成体が互いに近接する折畳姿勢と、に姿勢変更可能に構成した宿営装置」が開示されている。
【０００４】
【特許文献１】特開平９−１２５７１８号公報
【特許文献２】特開２００３−２４７２７１号公報
【発明の開示】
【発明が解決しようとする課題】
【０００５】
しかしながら、上記従来の技術では以下のような課題を有していた。
（１）従来の被災地等の仮設住宅は、施工に人手と時間がかかり、また、再利用できず使用後は破棄しており、さらに、どのくらい建てれば良いか建築戸数を確定する判断が難しく不足や余剰が発生し易いという課題を有していた。
（２）特許文献１の簡易住宅では、折畳みできずコンテナのままで保管され輸送されるので、保管場所に多大なスペースを必要とすると共に輸送効率に欠けるという課題を有していた。
（３）特許文献２では、仮設住宅等として使用可能な宿営装置を単に折畳み可能としただけであり、内部に流しやこんろ、シャワー、トイレ等の設備や食料や衣類等の生活必需品等を備えておらず、特に折畳姿勢では内部にこれらの設備や生活必需品を収容できないため、被災地等の現場には別途輸送し搬入する必要があり、簡易的に利用が不可能で利便性に欠けるという問題点を有していた。
（４）また、特許文献２では、各壁面を構成するパネル材を保持するためのフレーム（骨組み）を必要とするため、重量が大きくなると共に部品点数が増加し生産性及び量産性に欠けるという課題を有している。
【０００６】
本発明は、コンパクトに折畳むことができ輸送効率が高く運搬性及び保管性に優れると共に設置場所を選ばず基礎が不要で設置性に優れ、狭い敷地に簡単に短時間で組み立てることができ組み立て作業性に優れ、生活必需品を完備し設置すればすぐに居住を始めることができ、壁面の清掃が容易で再利用性に優れ、且つ、簡単な構造で低原価であり、量産性に優れた簡易住宅を提供することを目的とする。
【課題を解決するための手段】
【０００７】
上記課題を解決するために本発明の簡易住宅は、以下の構成を有している。
本発明の請求項１に記載の簡易住宅は、床面部と、前記床面部の後端部に立設された下部壁背面部と、前記床面部の両側端部に立設された一対の下部壁側面部と、を有する下部壁部と、前記床面部の前端部に下端部が連結され前部側に膨出状に突出した突出正面部と、前記下部壁背面部の上端部に下端部が連結された背面部と、各々の前記下部壁側面部の上端部に下端部が連結された側面部と、前記突出正面部及び前記背面部並びに各々の前記側面部の上部に覆設された天井面部と、前記床面部と前記突出正面部、及び、前記下部壁背面部と前記背面部、並びに、前記下部壁側面部と前記側面部、を回動自在又は脱着自在に連結する折畳み連結部と、を備えた構成を有している。
【０００８】
この構成により、以下のような作用を有する。
（１）突出正面部と背面部と左右の側面部とが回動自在又は脱着自在の折畳み連結部を介して下部壁部に連結されているので、まず突出正面部を下部壁部の内部に折畳み、次に背面部を折畳んだ突出正面部の上部に折畳み、続いて左右の側面部を折畳んだ背面部の上部に折畳み、最後に天井面部で下部壁部の上部を覆設することにより、簡易住宅をコンパクトに折畳むことができ、輸送効率に優れると共に狭い倉庫等の保管庫にも多量に保管できる。
（２）折畳んだ状態から組み立てる場合は、まず左右の側面部を起立させると共にその上端部に天井面部を横架し、次に背面部を起立させ、最後に突出正面部を起立させることにより、少ない作業人数で且つ短時間で設置から組み立てまで行うことができる。
（３）折畳んだ状態から側面部と背面部と突出正面部とを起立させるだけで組み立てることができるので、従来の仮設住宅の設置のように建築資材を置くスペース等が必要なく、設置場所を選ばず狭い設置スペースにも設置できる。
（４）床面部と下部壁背面部と下部壁側面部とを有する下部壁部を備えているので、骨組みを必要とせず、部品点数が少なく低原価で量産できる。
（５）下部壁部に折畳み連結部を介して突出正面部と背面部と側面部を連結し、その上部に天井面部を支持した構造なので、折畳み自在であり且つ簡単な構造でありながら強風や余震等にもぐらつくことなく耐震性、安定性及び機械的強度に優れる。
（６）突出正面部を備えているので、折畳み可能としながら簡易住宅の内部の空間を広くとることができ居住性に優れる。
（７）流しや浴室のシャワー設備等を突出正面部の内部に装備することができ、その他のカセットこんろや冷蔵庫、収容庫等の設備や食料や衣類等の生活必需品を突出正面部の内部の空きスペースや下部壁部の内部の空きスペースに収容して完備することができ、別途設備や生活必需品等を輸送したり保管したりする必要がないので、輸送性及び保管性に優れ、簡易住宅の設置と同時に生活を始めることができ簡易性及び利便性に優れる。
【０００９】
ここで、床面部や下部壁部、背面部、側面部、突出正面部、天井面部等の壁面は、内壁材と外壁材の間にウレタンフォームやポリ塩化ビニルフォーム等の断熱材を繊維強化プラスチック（ＦＲＰ）等で挟んだサンドイッチ構造等が用いられる。これにより、強度及び断熱性を高めると共に生産性を高めることができる。
外壁材及び内壁材の材質はガラス繊維，カーボン繊維，ＳｉＣ繊維，アルミナ繊維等の無機繊維やナイロン繊維，ビニロン繊維，アラミド繊維等の有機繊維を不飽和ポリエステル、エポキシ樹脂等に配合させた繊維強化プラスチック（ＦＲＰ）或いは上記各繊維を必要に応じて耐候処法をしたポリカーボネート樹脂、メタクリル樹脂、ポリ塩化ビニル樹脂、ポリアミド樹脂、ＡＢＳ樹脂等の熱可塑性樹脂に配合した繊維強化熱可塑性プラスチック（ＦＲＴＰ）等が用いられる。外壁材及び内壁材をＦＲＰやＦＲＴＰで形成した場合、軽量かつ強固で、輸送時の取扱が容易であるとともに耐久性に優れると共に、仮に破損した場合も補修が容易であり、汚れ等の清掃作業も簡便でまた、清掃時や輸送・設置時に傷等が付き難く繰り返し利用することができ再利用性を向上させることができる。
外壁材と内壁材の間にはウレタンフォーム等の発泡樹脂や、グラスウール，ロックウール，珪酸アルミナウール等の断熱材や遮音材の中間層を設けると、夏期や冬期の冷暖房効果を高くでき省エネルギー化を図ることができると共に防音性を高めプライバシーの保護を向上できる。
折畳み連結部としては、蝶番や回動自在の継ぎ手等（回動自在に連結）、又は、だぼ継ぎや凹状部と凸状部による挟み込み構造等（脱着自在）が用いられる。蝶番等を用いれば組み立て及び折畳みが容易になり組み立て作業性に優れ、だぼ継ぎや挟み込み構造等を用いれば構造がさらに簡単になり生産コストを低減できる。
背面部や側面部には窓部を配設することができる。窓部を複数配設することにより扉部と相まって種々な方向の風が簡易住宅内に吹き込み風通しを良くでき、湿気を防ぎ乾燥性を高め黴の発生を防ぐことができる。背面部の窓部を大きく形成したり、複数設けた場合は居住者の閉塞感を防止できると共に、正面部の出入口部と相まって緊急時の非常口として利用でき安全性を高めることができる。一方の側面部のみに窓部を形成した場合や側面部の窓部を左右側面部に非対称の位置に形成した場合は、明かりとりや換気を行うことができると共に簡易住宅同士が隣接してもプライバシーを保護することができる。
給水設備としては、流しの蛇口やシャワー設備等へ接続された給水管の途中に小型の給水ポンプを配設し、外部の貯水タンクや水道等から給水するものが用いられる。なお、給水管や給水ポンプは流しの下側空間や突出正面部の床面部の下面等に沿って配設される。また、排水設備としては、流しや浴室の排水口等に接続された排水管を用いる。
給電設備としては、小型の太陽光電池等からなる太陽光発電部や外部の電気配線から電気を供給する売電受電部を設けるのが好ましい。昼間は太陽光発電部の電気で室内の照明用や換気扇や給水ポンプの動力源として使用するとともに、電気関係が復旧したときは売電受電部で電力を得ることができ便利である。室内の内壁部には蓄電池や電線やコンセントあるいはスイッチ等を有す電源部が予め配設されている。この電源部は上述の太陽光発電部や売電受電部に配線され電気が供給される。
【００１０】
本発明の請求項２に記載の発明は、請求項１に記載の簡易住宅であって、前記突出正面部が、後端部が前記床面部に前記折畳み連結部を介して連結された正面側床面部と、前記正面側床面部の前端部に立設され出入口部が形成された正面部と、前記正面側床面部に両側部に立設された正面側側面部と、前記正面部及び前記正面側側面部の上端部に配設され前記正面部側に傾斜した正面側天井面部と、を備えた構成を有している。
【００１１】
この構成により、請求項１の作用に加え、以下のような作用を有する。
（１）突出正面部が、正面側床面部と正面部と左右の正面側側面部と正面側天井面部とを備えているので、組み立て時には正面側床面部の面積だけ簡易住宅の内部を広くとることができると共に、折畳み時にはカセットこんろや冷蔵庫、収容庫等の設備や食料や衣類等の生活必需品を収容して完備することができる。
（２）折畳み連結部の無い正面部に出入口部を形成し出入口部が折畳みを阻害することがなく、また、突出正面部側を玄関や調理室等として使用でき下部壁部側を居住室として使用でき、狭い室内をより合理的に使用することができる。
【００１２】
本発明の請求項３に記載の発明は、請求項２に記載の簡易住宅であって、前記正面部の少なくとも前記出入口部の下部に回動自在又は脱着自在に連結されたバルコニー部と、前記正面側側面部に固定され前記バルコニー部の両側部を支持するバルコニー支持部と、前記バルコニー部の下面又は側部に配設された複数の正面側脚部を備えた構成を有している。
【００１３】
この構成により、請求項２の作用に加え、以下のような作用を有する。
（１）バルコニー部を取り付けることにより、バルコニー部がポーチ、玄関の役割をするため第三者に対して簡易住宅ではなく住宅としての印象を与えることができ、居住性を向上させることができると共に、第三者に侵入し難い印象を与え、泥棒等の侵入を未然に防ぐことができる。
（２）屋外用小型収納庫等の設置したり洗濯物を干したりすること等が可能で居住スペースを有効に使うことができると共に、バルコニー部で靴に付着した泥や水の住宅内への浸入を防ぎ、室内を清潔に保ことができる。
（３）バルコニー部を正面部の前面に添うようにコンパクトに折畳むことができると共に容易に展開でき組み立て作業性に優れる。
（４）バルコニー支持部によりバルコニー部を突出正面部に強固に固定することができると共に、正面側脚部によりバルコニー部及び突出正面部を支持することができ安定性に優れる。
【００１４】
ここで、バルコニーの長さは正面部の長さと略同一に形成される。バルコニー部の材質としては、前述のＦＲＰやＦＲＴＰ若しくは軽量鋼材等が用いられる。
バルコニー部には手摺り部を配設することもできる。手摺り部の設置はバルコニー部の周壁の所定部に脱着自在に固定すると共に、その両端部を正面部の左右側部の枠材に固定する。なお、手摺り部の両端部は、かならずしも住宅正面部の左右側部の枠材に固定する必要はなく、バルコニー部の周壁に脱着自在に固定してもよい。手摺り部を設けることにより、バルコニー部から幼児等の転落事故を防止することができ、安全性を高めることができる。また、第三者に侵入し難い印象を与えるとともに窃盗等を防ぐことができ、防犯性を向上させることができる。
【００１５】
本発明の請求項４に記載の発明は、請求項２又は３に記載の簡易住宅であって、前記正面側天井面部の上面に回動自在に連結された庇部を備えた構成を有している。
【００１６】
この構成により、請求項２又は３の作用に加え、以下のような作用を有する。
（１）庇部を設けることにより直射日光が入り込むのを防止することができるとともに、洗濯物を干しても急な雨で濡らすのを防ぐことができる。また、雨天の際に出入口部で雨等に濡れることなく傘等をさすこともできる。
（２）庇部を正面側天井面部の上面に添うようにコンパクトに折畳むことができると共に容易に展開でき組み立て作業性に優れる。
【００１７】
ここで、庇部は少なくとも正面部の出入口部の上面好ましくは正面部の全長と略同一の長さに形成される。庇部の幅はバルコニー部の幅と略同一に形成されるのが好ましい。また、庇部の両側部に物干し竿掛けを配設しておくと洗濯物を各戸で干すことができるので好ましい。さらに正面部の窓からの雨の吹き込み等を防ぐことができる。庇部の先端部には溝部を設けると雨だれを防ぎ憂鬱感を与えるのを防ぎ居住性を高めるができる。
【００１８】
本発明の請求項５に記載の発明は、請求項１乃至４の内いずれか１項に記載の簡易住宅であって、前記天井面部の周縁部の下面側に形成され、前記背面部及び／又は前記側面部の上端部が係止される上端係止部を備えた構成を有している。
【００１９】
この構成により、請求項１乃至４の内いずれか１項の作用に加え、以下のような作用を有する。
（１）簡易住宅の組み立て時において、下部壁部の上部に起立させた背面部及び側面部の上端部で天井面部を支持させる際に、その上端部を天井面部の上端係止部に係止することで、天井面部が強固に支持固定され安定性に優れる。
【００２０】
本発明の請求項６に記載の発明は、請求項１乃至５の内いずれか１項に記載の簡易住宅であって、各々の下部壁側面部に外側面の上端部近傍に突設された天井係合部を備えた構成を有している。
【００２１】
この構成により、請求項１乃至５の内いずれか１項の作用に加え、以下のような作用を有する。
（１）簡易住宅の折畳み状態において、天井面部の左右の側部が天井係合部に係合されるので、輸送時等の天井面部のがたつき等を防止できる。
（２）簡易住宅の組み立て時に天井面部の一方の側部を天井係合部に係合した状態で他方の側部を上方に持ち上げて側面部を起立させることができるので、天井面部の全重量を作業員が支えたり持ち上げたりする必要がなく、少ない作業員で作業が行え組み立て作業性に優れる。
【００２２】
本発明の請求項７に記載の発明は、請求項１乃至６の内いずれか１項に記載の簡易住宅であって、前記突出正面部の内部に、調理室、浴室、トイレ室の内いずれか１以上を備えた構成を有している。
【００２３】
この構成により、請求項１乃至６の内いずれか１項の作用に加え、以下のような作用を有する。
（１）突出正面部の内部に流しや浴室のシャワー設備等を配設することで、折畳み時にこれらの設備を一々取り外したり組み立て時に据え付けたりする必要がなく、組み立て作業性及び簡易性に優れる。
（２）各戸内にこれらの設備を設けることで、いつでも好きなときに他人を気にせずに利用することができ精神的に安心感を与えることができるとともに、共用浴場や共用トイレ等を敷地内に設置する必要がなく敷地面積をより有効に活用できる。
【００２４】
ここで、浴室やトイレ室にはシャワー部や浴槽、洗面化粧台、便器等が設けられる。シャワー部や浴槽、洗面化粧台、便器はユニット化して配設すると場所をとらず空間を有効に利用できる。便器は便槽が運搬可能な携帯式のものや簡易水洗トイレ或いは小型の浄化槽を配備したもの等が用いられる。簡易水洗トイレを用いる場合はトイレ下部の背面部に脱着式の汚物タンクを設けても良いし下水管に接続できるように接続管を設けてもよい。
【００２５】
本発明の請求項８に記載の発明は、請求項１乃至７の内いずれか１項に記載の簡易住宅であって、前記下部壁部の内部に、折畳み自在又は取り外し自在に配設された１以上の寝台部を備えた構成を有している。
【００２６】
この構成により、請求項１乃至７の内いずれか１項の作用に加え、以下のような作用を有する。
（１）簡易住宅の折畳み時には、寝台部を折畳んで又は取り外して下部壁部の内部に突出正面部等が折畳まれるスペースを形成することができ、組み立てた後に寝台部を組み立て又は取り付けることで寝台や座部として使用することができる。
（２）寝台部を設けることにより、一家族がまとまって寝起きできるとともに、緊急時の場合は家族がまとまって行動できるので安心感を与えることができる。
【００２７】
ここで、寝台部としては寝台やハンモック等が用いられる。なお、寝台を用いる場合は左右の側面部の寝台部は長さを変えてもよい。短い方を子供用とし、子供用の寝台に間仕切り壁を介して浴室兼トイレ室等を設置すると、狭い室内をより合理的に使用することができる。また左右の寝台部間に架設または掛着される補助寝台部を備えた場合や寝台部を移動させ２つの寝台部を隣接して配置した場合は、寝台を拡張できダブルベッドとして使用することもできる上に子供の遊び場としても利用できる。
【００２８】
本発明の請求項９に記載の発明は、請求項１乃至８の内いずれか１項に記載の簡易住宅であって、前記下部壁部の内部に、取り外し式仕切り壁を備えた構成を有している。
【００２９】
この構成により、請求項１乃至８の内いずれか１項の作用に加え、以下のような作用を有する。
（１）簡易住宅の折畳み時には、取り外し式仕切り壁を取り外して下部壁部の内部に突出正面部等が折畳まれるスペースを形成することができ、組み立てた後に取り付けることで居住室と調理室や浴室、トイレ室等を区画することができる。
【００３０】
ここで、取り外し式仕切り壁の固定手段としては、その上下端部に南京落し、だぼ継ぎや凹状部と凸状部による挟み込み部等を配設し、天井面部と床面部に対して上端部と下端部で固定すると共に簡易的に取り外すことができるものが用いられる。
【００３１】
本発明の請求項１０に記載の発明は、請求項１乃至９の内いずれか１項に記載の簡易住宅であって、前記下部壁部の底部又は側部に配設された複数の脚部を備え、前記脚部が、前記下部壁側面部に固定されたベース部と、前記ベース部に回動自在に配設された回動部と、前記回動部に配設された伸縮部保持部と、前記伸縮部保持部に伸縮自在に配設された伸縮部と、前記伸縮部の下端部に配設された車輪部又は接地部と、を備えた構成を有している。
【００３２】
この構成により、請求項１乃至９の内いずれか１項の作用に加え、以下のような作用を有する。
（１）脚部が脚高に簡易住宅を支持できるので雨や湿気等の室内への進入を少なくすることができる。
（２）各脚部の高さを自在に調整できるので平坦でない地盤にも容易に簡易住宅を水平に設置できると共に、脚部の高さの調整が手作業で容易にでき水準器等を確認するだけで簡便に水準を確認しつつ簡易住宅を水平に施工できる。
（３）簡易住宅の折畳み時には、回動部を回動させるだけで脚部を容易に折畳むことができるので、一々取り外したり組み立て時に取り付けたりする必要がなく折畳み作業性及び組み立て作業性に優れる。
（４）脚部の車輪部により、組み立て設置後又は保管時における整備等のための移動を容易に行うことができる。
【００３３】
ここで、脚部の伸縮部としては、ねじジャッキやラックジャッキ等のジャッキ形式のものが好適に用いられる。また、地盤が脆弱な場合は車輪部や接地部の下に木板や鉄板、コンクリート板を敷設して沈降を防止することができる。
【発明の効果】
【００３４】
以上説明したように本発明によれば、以下のような有利な効果が得られる。
請求項１に記載の発明によれば、
（１）突出正面部と背面部と左右の側面部とが回動自在又は脱着自在の折畳み連結部を介して下部壁部に連結されているので、簡易住宅をコンパクトに折畳むことができ、輸送効率に優れると共に狭い倉庫等の保管庫にも多量に保管でき保管性に優れ、また、少ない作業人数で且つ短時間で設置から組み立てまで行うことができる簡易住宅を提供することができる。
（２）床面部と下部壁背面部と下部壁側面部とを有する下部壁部を備えているので、骨組みを必要とせず、部品点数が少なく低原価で量産できる生産性に優れた簡易住宅を提供することができる。
（３）下部壁部に折畳み連結部を介して突出正面部と背面部と側面部を連結し、その上部に天井面部を支持した構造なので、折畳み自在であり且つ簡単な構造でありながら強風や余震等にもぐらつくことなく耐震性、安定性及び機械的強度に優れた簡易住宅を提供することができる。
（４）突出正面部を備えているので、折畳み可能としながら簡易住宅の内部の空間を広くとることができ居住性に優れ、また、流しや浴室のシャワー設備、生活必需品等を突出正面部の内部に装備することができ、別途設備や生活必需品等を輸送したり保管したりする必要がないので、輸送性及び保管性に優れ、簡易住宅の設置と同時に生活を始めることができる簡易性及び利便性に優れた簡易住宅を提供することができる。
【００３５】
請求項２に記載の発明によれば、請求項１の効果に加え、
（１）折畳み連結部の無い正面部に出入口部を形成し出入口部が折畳みを阻害することがなく、また、突出正面部側を玄関や調理室等として使用でき下部壁部側を居住室として使用でき、狭い室内をより合理的に使用することができる簡易住宅を提供することができる。
【００３６】
請求項３に記載の発明によれば、請求項２の効果に加え、
（１）バルコニー部を取り付けることにより、第三者に対して簡易住宅ではなく住宅としての印象を与えることができ居住性に優れると共に、バルコニー部が敷地感を与え、第三者に侵入し難い印象を与え、泥棒等の侵入を未然に防ぐことができる安全性に優れた簡易住宅を提供することができる。
（２）屋外用小型収納庫等の設置したり洗濯物を干したりすること等が可能で居住スペースを有効に使うことができると共に、バルコニー部で靴に付着した泥や水の住宅内への浸入を防ぎ、室内を清潔に保ことができる居住性に優れた簡易住宅を提供することができる。
（３）バルコニー部をコンパクトに折畳むことができると共に容易に展開できる作業性に優れた簡易住宅を提供することができる。
（４）バルコニー支持部によりバルコニー部を突出正面部に強固に固定することができると共に、正面側脚部によりバルコニー部及び突出正面部を支持することができる安定性に優れた簡易住宅を提供することができる。
【００３７】
請求項４に記載の発明によれば、請求項２又は３の効果に加え、
（１）庇部を正面側天井面部の上面に添うようにコンパクトに折畳むことができると共に容易に展開できる作業性に優れた簡易住宅を提供することができる。
【００３８】
請求項５に記載の発明によれば、請求項１乃至４の内いずれか１項の効果に加え、
（１）背面部及び側面部の上端部を天井面部の上端係止部に係止することで、天井面部が強固に支持固定される安定性に優れた簡易住宅を提供することができる。
【００３９】
請求項６に記載の発明によれば、請求項１乃至５の内いずれか１項の効果に加え、
（１）天井面部の一方の側部を天井係合部に係合した状態で他方の側部を上方に持ち上げて側面部を起立させることができるので、天井面部の全重量を作業員が支えたり持ち上げたりする必要がなく、少ない作業員で作業が行える作業性及び省力性に優れた簡易住宅を提供することができる。
【００４０】
請求項７に記載の発明によれば、請求項１乃至６の内いずれか１項の効果に加え、
（１）突出正面部の内部に流しや浴室のシャワー設備等を配設することで、折畳み時にこれらの設備を一々取り外したり組み立て時に据え付けたりする必要がなく作業性及び簡易性に優れた簡易住宅を提供することができる。
【００４１】
請求項８に記載の発明によれば、請求項１乃至７の内いずれか１項の効果に加え、
（１）簡易住宅の折畳み時には、寝台部を折畳んで又は取り外して下部壁部の内部に突出正面部等が折畳まれるスペースを形成することができ、組み立てた後に寝台部を組み立て又は取り付けることで寝台や座部として使用することができる簡易住宅を提供することができる。
【００４２】
請求項９に記載の発明によれば、請求項１乃至８の内いずれか１項の効果に加え、
（１）簡易住宅の折畳み時には、取り外し式仕切り壁を取り外して下部壁部の内部に突出正面部等が折畳まれるスペースを形成することができ、組み立てた後に取り付けることで居住室と調理室や浴室、トイレ室等を区画することができる簡易住宅を提供することができる。
【００４３】
請求項１０に記載の発明によれば、請求項１乃至９の内いずれか１項の効果に加え、
（１）簡易住宅の折畳み時には、回動部を回動させるだけで脚部を容易に折畳むことができるので、一々取り外したり組み立て時に取り付けたりする必要がなく折畳み作業性及び組み立て作業性に優れた簡易住宅を提供することができる。
（２）脚部の車輪部により、組み立て設置後又は保管時における整備等のための移動を容易に行うことができる移動性に優れた簡易住宅を提供することができる。
【発明を実施するための最良の形態】
【００４４】
以下、本発明の一実施の形態について、図１乃至図４を用いて説明する。
（実施の形態１）
図１は本実施の形態１における簡易住宅の全体斜視図であり、図２は本実施の形態１における簡易住宅の要部平面断面図であり、図３は本実施の形態１における簡易住宅の要部側面断面図である。
図中、１は本実施の形態１における簡易住宅、２は床面部、３は床面部２の後端部に立設された下部壁背面部、４ａ，４ｂは床面部２の両側端部に立設された一対の下部壁側面部、４ｃは各々の下部壁側面部４ａ，４ｂに外側面の上端部近傍に突設された天井係合部、５は床面部２と下部壁背面部３と下部壁側面部４ａ，４ｂとで構成された下部壁部、６は床面部３の前端部に折畳み連結部７（図２参照）を介して回動自在に連結され前部側に膨出上に突出した突出正面部、８は下部壁背面部３の上端部に下端部が折畳み連結部９（図３参照）を介して回動自在に連結された背面部、１０ａ，１０ｂは各々の下部壁側面部４ａ，４ｂの上端部に下端部が折畳み連結部１１（図２，３参照）を介して回動自在に連結された一対の側面部、１０ｃは一方の側面部１０ａに形成された窓部、１２は突出正面部６及び背面部８並びに各々の側面部１０ａ，１０ｂの上部に覆設された天井面部、１２ａは天井面部１２の前端部に形成された天井前端面部、１２ｂは天井面部１２の両側端部に形成された天井側面部、１２ｃは天井側面部１２ｂに固定された支持索結着部、１２ｄは天井面部に形成された天窓部、１２ｅは換気口、Ｗは支持索である。
【００４５】
また、図中、１３は突出正面部６の床面を形成する正面側床面部、１４は正面側床面部１３の前端部に立設された正面部、１４ａは正面部１４に形成された出入口部、１４ｂは正面部１４の出入口部１４ａの側方に形成された窓部、１５ａ，１５ｂは正面側床面部１３の両側端部に立設された正面側側面部、１６は突出正面部６の天井面を形成し正面部１４側に傾斜した正面側天井面部、１６ａは正面側天井面部１６の後端部に突設された正面部係合部、１７は正面側天井面部１６の上端部に折畳み連結部１８を介して回動自在に連結された庇部、１７ａは庇部１７を支持する庇支持部、１９は正面部１４の下端部に折畳み連結部２０（図３参照）を介して回動自在に連結されたバルコニー部、２１は正面側側面部１５ａ，１５ｂにボルト止め等により固定されバルコニー部１９の両側部を支持するバルコニー支持部、２２はバルコニー部１９に装設された手摺り部、２２ａは手摺り部２２に取り付けられた太陽光発電部、２３は各々の下部壁側面部４ａ，４ｂに固定され下部壁部５を支持するキャスター付きの脚部、２４は各々のバルコニー支持部２１に固定されバルコニー部１９及び突出正面部６を支持する正面側脚部である。
【００４６】
図２及び図３において、Ｌは居住室、Ｋは調理室、Ｓは浴室、Ｔはトイレ室、３１ａ，３１ａ′，３１ｂは居住室Ｌと調理室Ｋやトイレ室Ｔとを仕切る取り外し式仕切り壁であり、上下端部が南京落し等を用いて天井面部１２と床面部２に係合固定されている。なお、取り外し式仕切り壁３１ａ′は取り外し式仕切り壁３１ａに蝶番等を介して回動自在に連結されている。３２は調理室Ｋと浴室Ｓとを仕切る固定仕切り壁、３３は固定仕切り壁３２に形成されたドア部、３４は調理室Ｋの正面側側面部１５ａに沿って装設された流し３４ａや蛇口３４ｂ等を有する調理部、３５は調理部３４の側面部と取り外し式仕切り壁３１ｂとの間に横架された取り外し式横架台、３５ａは取り外し式横架台３５に載置されたカセットこんろ、３６は浴室Ｓに装設されたシャワー部、３６ａは浴室Ｓの床面に配設された排水口、３７はトイレ部Ｔに設置された携帯用トイレ部、３８ａ，３８ｂは居住室Ｌに脱着自在又は移動自在に配設された下段側の折畳み式寝台部、３９は取り外し式仕切り壁３１ａ，３１ｂと背面部８との間に寝台係止部３９ａで係止されて横架され折畳み式寝台部３８ａ，３８ｂの各々の上部に配設された上段側の取り外し式寝台部、４０は折畳み式寝台部３８ａ，３８ｂの間に配設され背面部８の所定部に折畳み連結部４１を介して回動自在又は脱着自在に連結されたテーブル部、４０ａはテーブル部４０の脚部、４２は背面部８に形成された窓部、４３は天井面部１２の後端部に形成された天井背面部、４４は折畳み式寝台部３８ａの下部に形成された寝台下収納部である。
【００４７】
次に、背面部８及び側面部１０ａ，１０ｂの上端部と天井面部１２との接合構造について図４を用いて説明する。
図４は背面部及び側面部の上端部と天井面部の要部断面図である。
図４において、４５は天井面部１２の下面に固定された固定部材、４６は固定部材４５と天井側面部１２ｂ又は天井背面部４３との間隙に形成された上端係止部である。
上端係止部４６は天井面部１２の左右の側辺及び後辺の内側の隅部に沿って凹状に形成され、簡易住宅１の組み立て時において背面部８及び側面部１０ａ，１０ｂが起立した状態で、その上端部が嵌合され接合される。
【００４８】
次に、側面部１０ａ，１０ｂと突出正面部６等の壁面間の隙間のシール構造について図５を用いて説明する。
図５（ａ）は壁面間のシール構造を示す要部横断面図であり、図５（ｂ）は壁面間のシール構造の別の例を示す要部横断面図であり、図５（ｃ）は下部壁背面部と背面部及び下部壁側面部と側面部に形成される隙間のカバー構造を示す要部縦断面図である。
図５において、５１は断面略Ｌ字状のシール材、５２は長尺板状のシール材、５３は背面部８又は側面部１０ａ，１０ｂの下端辺に沿って配設された固定カバー部である。シール材５１，５２及び固定カバー部５３としては、断面略Ｌ字状や板状等のアルミニウム等の鋼材、或いは該鋼材に密着性のシート等を貼着したもの等が用いられる。
図５（ａ）に示すように、下部壁側面部４ａ又は側面部１０ａと正面側側面部１５ａとの隙間にシール材５１を添わせてボルト止め等により固定する。なお、下部壁側面部４ｂ又は側面部１０ｂと正面側側面部１５ｂとの隙間にも同様にシール材５１を添設する。図５（ｂ）に示すように、背面部８と側面部１０ａとの隙間にシール材５２を添わせてボルト止め等により固定する。なお、背面部８と側面部１０ｂとの隙間にも同様にシール材５２を添設する。なお、シール材５１，５２は簡易住宅１の組み立て時に取り付けられ、折畳み時には取り外される。
図５（ｃ）に示すように、背面部８及び側面部１０ａ，１０ｂを起立させることにより、下部壁背面部３と背面部８との隙間、又は、下部壁側面部４ａ，４ｂと側面部１０ａ，１０ｂとの隙間が固定カバー部５３により塞がれる。
【００４９】
次に、脚部２３及び正面側脚部２４の構造について図６を用いて説明する。
図６（ａ）は脚部の要部斜視図であり、図６（ｂ）は正面側脚部の要部斜視図である。
図６において、６１は下部壁側面部４ａ，４ｂ又はバルコニー支持部２１に固定されたベース部、６２はベース部６１に回動自在に配設された回動部、６３は回動部６２に固定された伸縮部保持部、６４は伸縮部保持部６３に伸縮自在に配設された伸縮部、６５は伸縮部６４を伸縮させるためのハンドル部、６６は伸縮部６４の下端部に配設されたキャスター等の車輪部、６７は伸縮部６５の下端部に配設された接地部である。
脚部２３，２４は、ハンドル部６５を回動させることにより伸縮部６４を伸縮させ、高さの調整が手作業でできる。また、簡易住宅１の折畳み時には、回動部６２をベース部６１に対して回動させ、伸縮保持部６３や伸縮部６４を下部壁側面部４ａやバルコニー支持部２１に添わせるように畳むことができる。
【００５０】
次に、折畳み式寝台部３８ａ，３８ｂについて図７を用いて説明する。
図７は折畳み式寝台部の分解斜視図である。
図７において、７０は寝台面を形成する寝台面部、７０ａは寝台面部７０に穿設された取り外し用孔部、７１は基礎支持板、７２は基礎支持板７１の一方の側面に回動自在に取り付けられた複数の回動支持板、７３は回動支持板７２の一側面の上端部に沿って配設された寝台面係止部、７４は取り外し式仕切り壁３１ａ，３１ｂに寝台面係止部７３と同じ高さに配設された寝台面係止部、７５は基礎支持板７１及び回動支持板７２の下端部に突設されただぼ、７６は床面部２の所定部に穿設されただぼ孔である。なお、寝台部３８ｂは図７に示す寝台部３８ａと左右対称で略同一の構造であるが、寝台部３８ｂの基礎支持板７１には、寝台下収納部４４（図３参照）のための開口部が形成されている。
寝台部３８ａ，３８ｂを据え付ける場合は、まず、基礎支持板７１に対して各回動支持板７２を略直角となるように回動させ、その状態で床面部２上の所定部に設置する。次に、各だぼ７５を対応するだぼ孔７６に嵌着し基礎支持板７１及び各回動支持板７２を固定する。次に、寝台面部７０を基礎支持板７１及び回動支持板７２の上部に並べて載置する。寝台面部７０はその周縁部で基礎支持板７１と回動支持板７２の上端部や寝台面軽視部７４に支持される。
寝台部３８ａ，３８ｂを取り外す場合は、まず、取り外し用孔部７０ａに指等を挿入して寝台面部７０を取り外す。次に、基礎支持板７１及び回動支持板７２を持ち上げて各だぼ７５をだぼ孔７６から抜いて取り外す。次に、回動支持板７２を回動させ基礎支持板７１に添わせて折畳む。取り外した寝台面部７０と基礎支持板７１と回動支持板７２の収納場所については後述する。
【００５１】
以上のように構成された本実施の形態１における簡易住宅１について、以下その組み立て動作を図を用いて説明する。
図８（ａ）は本実施の形態１における簡易住宅の折畳み状態を示す斜視図であり、図８（ｂ）は図８（ａ）のＡ−Ａ線の矢視断面図であり、図９は天井面部と一方の側面部を立ち上げた状態を示す概略正面断面図であり、図１０は他方の側面部を立ち上げた状態を示す概略正面断面図であり、図１１は背面部を立ち上げた状態を示す概略側面断面図であり、図１２は突出正面部を立ち上げた状態を示す概略側面断面図である。
【００５２】
なお、図８に示すように、折畳み状態の簡易住宅１′は、正面部６は下部壁部５の内部に折畳まれ、その上方に背面部８が折畳まれ、その上方に左右の側面部１０ａ，１０ｂが折畳まれ、その上方に天井面部１２が覆設され、両端の天井側面部１２ｂは天井係合部４ｃに係合されている。また、脚部２３は水平方向に折畳まれている。
また、取り外した折畳み式寝台部３８ａ，３８ｂや取り外した取り外し式仕切り壁３１ａ，３１ａ′，３１ｂ、寝台面部７０、基礎支持板７１、回動支持板７２等は内部のＸやＹに示す空間（図１１参照）に収納されている。これらは、折畳んだり重ね合わせたりした状態で梱包材で覆ったりバンド等で床面部等に固定したりして、搬送時の振動等により簡易住宅１′の内壁等に衝突して破損等するのを防止している。
【００５３】
簡易住宅１′を組み立てる（展開する）には、まず、各々の脚部２３を回動させ垂直方向に立てて設置場所に設置し、水準器等を確認しながら脚部２３の伸縮部を調整して下部壁部５の床面部２が水平となるようにする。次に、図９に示すように、天井面部１２の一方の天井側面部１２ｂ（正面側から見て右側）を天井係合部４ｃに係合した状態で、天井面部１２の他方（正面側から見て左側）を矢印Ａに示すように上方へ持ち上げる。次に、側面部１０ｂを矢印Ｂに示すように上方へ回動させて起立させ、その上端部を持ち上げた天井面部１２の隅部に係止する。
次に、図１０に示すように、天井上面部１２の正面側から見て右側を持ち上げ、続いて、側面部１０ａを矢印Ｃに示すように上方へ回動させて起立させ、その上端部を持ち上げた天井面部１２の隅部の上端係止部４６（図４参照）に嵌合させると共に、側面部１０ｂの上端部を天井面部１２の他方の上端係止部４６に嵌合させ、天井面部１２を側面部１０ａと側面部１０ｂの上部に横架した状態とする。
【００５４】
次に、図１１に示すように、背面部８を矢印Ｄに示すように上方へ回動させて起立させ、その上端部を天井面部１２の隅部の上端係止部４６に嵌合させる。背面部８、側面部１０ａ、及び側面部１０ｂを各々天井面部１２の背面側及び両側面側の隅部に形成された上端係止部４６に嵌合させているので、背面部８や側面部１０ａ，１０ｂががたついたりぐらついたりするのを防止できる。
次に、ＸやＹに示す空きスペースに予め収納していた折畳み式寝台部３８ａ，３８ｂや取り外し式仕切り壁３１ａ，３１ａ′，３１ｂ、テーブル部４０、バルコニー支持部２１、手摺り部２２、冷蔵庫等、その他の設備や生活必需品等を取り出す。
次に、図１２に示すように、突出正面部６を矢印Ｅに示すように上方へ回動させて起立させ、その上端部の正面部係合部１６ａを天井前端面部１２ａに係合させる。次に、庇部１７を矢印Ｆに示すように前方へ回動させ、庇支持部１７ａ（図３参照）の一端部を庇部１７に固定し他端部を正面部１４に固定する。次に、バルコニー部１９を矢印Ｇに示すように前方へ回動させ、バルコニー支持部２１及び正面側脚部２４を取り付け、正面側脚部２４は脚部２３に合わせて高さ調整を行う。さらに、図１及び図３に示すように、バルコニー部１０に手摺り部２２を取り付け、手摺り部２２の所定部に太陽光発電部２２ａを取り付ける。
次に、図２及び図３に示すように、室内に折畳み式寝台部３８ａ，３８ｂや取り外し式仕切り壁３１ａ，３１ａ′，３１ｂ、テーブル部４０を取り付けると共に、室内の各所に冷蔵庫や携帯用トイレ部３７等を設置する。また、外壁の所定部にシール材５１，５２を取り付け、支持索Ｗ（図１参照）を支持索結着部１２ｃに結着して簡易住宅１の周囲に張る。このとき、室内の各隅部に鋼材等の補強材をボルト止め等により取り付けてもよく、さらに機械的強度を高めることができる。
【００５５】
簡易住宅１を折畳む場合は、上述した組み立て作業と逆順で折畳みの作業を行う。
【００５６】
以上の構成された本実施の形態１の簡易住宅について、その組み立て作業性、漏水の有無、気密性能、及び折畳み作業性を評価するために、組み立て作業試験、漏水試験、気密性能評価試験、及び折畳み作業試験を行った。試験対象物及び各試験について以下に説明する。
【００５７】
（試験対象物）
上述した実施の形態１の簡易住宅１を用いた。但し、下部壁部５の幅は２．２ｍ、奥行きは２．５ｍとした。下部壁部の高さ、すなわち下部壁背面部３及び下部壁側面部４ａ，４ｂの高さは０．７ｍとした。背面部８及び側面部１０ａ，１０ｂの高さは１．３５ｍとした。天井面部１２の幅は２．２４ｍ、奥行きは２．５４ｍとした。突出正面部６の幅は２．１１ｍ、奥行きは０．６４ｍとした。また、折畳み時においては、幅約２．２ｍ、奥行き約２．５ｍ、高さ約０．９４ｍであり、重さは約８００ｋｇであった。
【００５８】
（組み立て作業試験）
（１）試験方法
上述した方法で簡易住宅１の組み立てを、成人男性４人、３人、２人で各々５回ずつ行い、その平均作業時間を計測した。
（２）試験結果
成人男性４人により上記組み立て作業を５回行った結果、作業に要する平均時間は略４５分であることがわかった。また、成人男性３人により上記組み立て作業を５回行った結果、作業に要する平均時間は略５０分であることがわかった。また、成人男性２人により上記組み立て作業を５回行った結果、作業に要する平均時間は略６０分であることがわかった。
【００５９】
（漏水試験）
（１）試験方法
まず、送水ホース（内径：２ｃｍ）、ポンプ（流量：最大２００Ｌ／ｍｉｎ）を用いて、天井面部の上面に５分間で５０Ｌの水を散水する（１時間に約１００ｍｍの非常に激しい雨を想定）。次に、室内への漏水がないか目視により確認する。次に、送水ホース、ポンプを用いて、背面部及び側面部へ５分間で５０Ｌの水を散水する。次に、室内への漏水がないか目視により確認する。
（２）試験結果
突出正面部、背面部、側面部の各々の継ぎ目部分に漏水は確認されなかった。また、突出正面部、背面部、側面部と天井面部と継ぎ目部分にも漏水は確認されなかった。また、窓枠、出入口部等のその他の部分にも漏水は確認されなかった。
【００６０】
（気密性能評価試験）
（１）試験方法
まず、１つの測定用窓部を除くすべての窓部を閉止し、出入口部も閉止する。なお、室内のドア部は開放する。次に、測定用窓部に軸流ファンを据え付け、その他の開口部分を気密シートで塞ぐ。次に、軸流ファンの流量を測定する流量計、室内の気圧と大気圧との差圧を測定する差圧計をセットする。次に、軸流ファンを駆動し、流量計の流量、差圧計の差圧、床面積から、床面積当たりの隙間面積を測定する。
（２）試験結果
床面積１ｍ2当たりの隙間面積は２ｃｍ2であり、高い気密性を有し、冷暖房によるエネルギ損失が少なく省エネルギ性に優れていることがわかった。
【００６１】
（折畳み作業試験）
（１）試験方法
上述した組み立て作業と逆順で簡易住宅１の折畳み作業を成人男性４人、３人、２人で各々５回ずつ行い、その平均作業時間を計測した。
（２）試験結果
成人男性４人により上記折畳み作業を５回行った結果、作業に要する平均時間は略３５分であることがわかった。また、成人男性３人により上記折畳み作業を５回行った結果、作業に要する平均時間は略３９分であることがわかった。また、成人男性２人により上記折畳み作業を５回行った結果、作業に要する平均時間は略４７分であることがわかった。
【００６２】
以上のように本実施の形態１における簡易住宅は構成されているので、以下のような作用を有する。
（１）突出正面部６と背面部８と左右の側面部１０ａ，１０ｂとが折畳み連結部７，９，１１を介して下部壁部５に回動自在に連結されているので、コンパクトに折畳むことができ、輸送効率が高く運搬性に優れると共に狭い倉庫等の保管庫にも多量に保管できる。
（２）折畳んだ状態から組み立てる場合は、まず左右の側面部１０ａ，１０ｂを起立させると共にその上端部に天井面部１２を横架し、次に背面部８を起立させ、最後に突出正面部６を起立させるので、少ない作業人数で且つ短時間で設置から組み立てまで行うことができ、組み立て作業性に優れる。
（３）床面部２と下部壁背面部３と下部壁側面部４ａ，４ｂとを有する下部壁部５を備えているので、基礎や骨組みが不要で設置性に優れると共に部品点数が少なく低原価で量産できる。
（４）下部壁部５に折畳み連結部７，９，１１を介して突出正面部６と背面部８と側面部１０ａ，１０ｂを連結し、その上部に天井面部１２を支持した構造なので、折畳み自在であり且つ簡単な構造でありながら強風や余震等にもぐらつくことなく耐震性、安定性及び機械的強度に優れる。
（５）突出正面部６を備えているので、折畳み可能としながら簡易住宅の内部の空間を広くとることができ居住性に優れると共に、流し３４ａや浴室のシャワー部３６等を突出正面部６の内部に装備することができ、その他のカセットこんろ３５ａや冷蔵庫、収容庫等の設備や食料や衣類等の生活必需品を突出正面部６の内部の空きスペースＹや下部壁部５の内部の空きスペースＸに収容して完備することができ、別途設備や生活必需品等を輸送したり保管したりする必要がないので、輸送性及び保管性優れ、簡易住宅の設置と同時に生活を始めることができ簡易性及び利便性に優れる。
（７）折畳み連結部の無い正面部１４に出入口部１４ａを形成し出入口部１４ａが折畳みを阻害することがなく、また、突出正面部６側を玄関や調理室Ｋ等として使用でき下部壁部５側を居住室Ｌとして使用でき、狭い室内をより合理的に使用することができる。
（８）バルコニー部１９を取り付けることにより、バルコニー部１９がポーチ、玄関の役割をするため第三者に対して簡易住宅ではなく住宅としての印象を与えることができ、居住性を向上させることができると共に、第三者に侵入し難い印象を与え、泥棒等の侵入を未然に防ぐことができる。
（９）バルコニー部１９を正面部１４の前面に添うようにコンパクトに折畳むことができると共に容易に展開でき組み立て作業性に優れ、さらにバルコニー支持部２１によりバルコニー部１９を突出正面部６に強固に固定することができ、正面側脚部２４によりバルコニー部１９及び突出正面部６を支持することができ安定性に優れる。
（１０）庇部１７を設けることにより直射日光が入り込むのを防止することができるとともに、洗濯物を干しても急な雨で濡らすのを防ぐことができる。また、雨天の際に出入口部で雨等に濡れることなく傘等をさすこともできる。
（１１）庇部１７を正面側天井面部１６の上面に添うようにコンパクトに折畳むことができると共に容易に展開でき組み立て作業性に優れる。
（１２）簡易住宅１の組み立て時において、下部壁部６の上部に起立させた背面部８及び側面部１０ａ，１０ｂの上端部を天井面部１２の上端係止部４６に嵌合させることで、天井面部１２が強固に支持固定され安定性に優れる。
（１３）簡易住宅１の折畳み状態において、天井面部１２の左右の天井側面部１２ｂが天井係合部４ｃに係合されるので、輸送時等の天井面部のがたつき等を防止できると共に、簡易住宅１の組み立て時に天井面部１２の一方の天井側面部１２ｂを天井係合部４ｃに係合した状態で他方を上方に持ち上げて側面部１０ｂを起立させることができるので、天井面部１２の全重量を作業員が支えたり持ち上げたりする必要がなく、少ない作業員で作業が行え組み立て作業性に優れる。
（１４）突出正面部６の内部に流し３４ａや蛇口３４ｂ、浴室のシャワー部３６等を一体に配設することで、別途入手不要で組み立てて迅速に使用でき利便性に優れると共に、折畳み時にこれらの設備を一々取り外したり組み立て時に据え付けたりする必要がなく、組み立て作業性及び簡易性に優れる。
（１５）調理室Ｋ、浴室Ｓ、トイレ室Ｔを備えているので、いつでも好きなときに他人を気にせずに利用することができ精神的に安心感を与えることができるとともに、共用浴場や共用トイレ等を敷地内に設置する必要がなく敷地面積をより有効に活用できる。
（１６）簡易住宅１の折畳み時には、寝台部３８ａ，３８ｂ及び取り外し式仕切り壁３１ａ，３１ａ′，３１ｂを折畳んで又は取り外すことができるので、下部壁部５の内部に突出正面部６等が折畳まれるスペースを形成することができ、組み立てた後に寝台部３８ａ，３８ｂを組み立て又は取り付けることで寝台や座部として使用することができ、一家族がまとまって寝起きできるとともに、緊急時の場合は家族がまとまって行動できるので安心感を与えることができる。
（１７）シール材５１，５２及び固定カバー部５３により、室内への風雨、雪、害虫、冷気等の侵入を防止でき居住性を高めることができる。
（１８）脚部２３，２４が脚高に簡易住宅１を支持できるので雨や湿気等の室内への進入を少なくすることができると共に、各脚部２３，２４の高さを自在に調整できるので平坦でない地盤にも容易に簡易住宅１を水平に設置できると共に、脚部の高さの調整が手作業で容易にでき水準器等を確認するだけで簡便に水準を確認しつつ簡易住宅を水平に施工できる。
（１９）簡易住宅１の折畳み時には、回動部６２をベース部６１に対して回動させるだけで脚部２３，２４を容易に折畳むことができるので、一々取り外したり組み立て時に取り付けたりする必要がなく折畳み作業性及び組み立て作業性に優れる。
（２０）釘やボルト、接着材等を略使用せずに組み立てることができるので、再利用が可能で建設資材及びコストが節減でき再利用性に優れる。特に、下部壁部５や突出正面部６、背面部８、側面部１０ａ，１０ｂ、天井面部１２等の壁材を繊維強化プラスチック（ＦＲＰ）等で形成すれば、傷付き難く清掃が容易なので煩雑な補修、清掃作業を行うことなく再利用できる。
【産業上の利用可能性】
【００６３】
以上説明したように、本発明は、地震や火災等の災害発生時に被災者等の仮設住宅、又は山、キャンプ地や浜辺等で別荘やバンガロウ或いはペンションとして或いは自衛隊や青少年活動等の野営として好適な簡易住宅に関し、特に本発明によれば、コンパクトに折畳むことができ輸送効率が高く運搬性及び保管性に優れると共に設置場所を選ばず基礎が不要で設置性に優れ、狭い敷地に簡単に短時間で組み立てることができ組み立て作業性に優れ、生活必需品を完備し設置すればすぐに居住を始めることができ、壁面の清掃が容易で再利用性に優れ、且つ、簡単な構造で低原価であり、量産性に優れた簡易住宅を提供することができる。
【図面の簡単な説明】
【００６４】
【図１】実施の形態１における簡易住宅の全体斜視図
【図２】実施の形態１における簡易住宅の要部平面断面図
【図３】実施の形態１における簡易住宅の要部側面断面図
【図４】背面部及び側面部の上端部と天井面部の要部断面図
【図５】（ａ）壁面間のシール構造を示す要部横断面図（ｂ）壁面間のシール構造の別の例を示す要部横断面図（ｃ）下部壁背面部と背面部及び下部壁側面部と側面部に形成される隙間のカバー構造を示す要部縦断面図
【図６】（ａ）脚部の要部斜視図（ｂ）正面側脚部の要部斜視図
【図７】折畳み式寝台部の分解斜視図
【図８】（ａ）実施の形態１における簡易住宅の折畳み状態を示す斜視図（ｂ）図８（ａ）のＡ−Ａ線の矢視断面図
【図９】天井面部と一方の側面部を立ち上げた状態を示す概略正面断面図
【図１０】他方の側面部を立ち上げた状態を示す概略正面断面図
【図１１】背面部を立ち上げた状態を示す概略側面断面図
【図１２】突出正面部を立ち上げた状態を示す概略側面断面図
【符号の説明】
【００６５】
１  簡易住宅
１′  折畳み状態の簡易住宅
２  床面部
３  下部壁背面部
４ａ，４ｂ  下部壁側面部
４ｃ  天井係合部
５  下部壁部
６  突出正面部
７，９，１１，１８，２０，４１  折畳み連結部
８  背面部
１０ａ，１０ｂ  側面部
１０ｃ  窓部
１２  天井面部
１２ａ  天井前端面部
１２ｂ  天井側面部
１２ｃ  支持索結着部
１２ｄ  天窓部
１２ｅ  換気口
１３  正面側床面部
１４  正面部
１４ａ  出入口部
１４ｂ  窓部
１５ａ，１５ｂ  正面側側面部
１６  正面側天井面部
１６ａ  正面部係合部
１７  庇部
１７ａ  庇支持部
１９  バルコニー部
２１  バルコニー支持部
２２  手摺り部
２２ａ  太陽光発電部
２３  脚部
２４  正面側脚部
３１ａ，３１ａ′，３１ｂ  取り外し式仕切り壁
３２  固定仕切り壁
３３  ドア部
３４  調理部
３４ａ  流し
３４ｂ  蛇口
３５  取り外し式横架台
３５ａ  カセットこんろ
３６  シャワー部
３６ａ  排水口
３７  携帯用トイレ部
３８ａ，３８ｂ  折畳み式寝台部
３９  取り外し式寝台部
４０  テーブル部
４０ａ  脚部
４２  窓部
４３  天井背面部
４４  寝台下収納部
４５  固定部材
４６  上端係止部
５１，５２  シール材
５３  固定カバー部
６１  ベース部
６２  回動部
６３  伸縮部保持部
６４  伸縮部
６５  ハンドル部
６６  車輪部
６７  接地部
７０  寝台面部
７０ａ  取り外し用孔部
７１  基礎支持板
７２  回動支持板
７３  寝台面係止部
７４  寝台面係止部
７５  だぼ
７６  だぼ孔
Ｌ  居住室
Ｋ  調理室
Ｓ  浴室
Ｔ  トイレ室
Ｗ  支持索
【図１】
2006283405.tif 000003
【図２】
2006283405.tif 000004
【図３】
2006283405.tif 000005
【図４】
2006283405.tif 000006
【図５】
2006283405.tif 000007
【図６】
2006283405.tif 000008
【図７】
2006283405.tif 000009
【図８】
2006283405.tif 000010
【図９】
2006283405.tif 000011
【図１０】
2006283405.tif 000012
【図１１】
2006283405.tif 000013
【図１２】
2006283405.tif 000014